(57)【要約】【課題】  高出力型組電池および高容量型組電池を車両の最適な位置に配置する。【解決手段】  車両は、車両を走行させる駆動源であるモータと、モータに電力を供給可能であり、ラゲッジスペースに配置された高出力型組電池および高容量型組電池と、を備える。高出力型組電池は、高容量型組電池より相対的に大きな電流で充放電を行うことが可能である。高容量型組電池は、高出力型組電池より相対的に大きなエネルギ容量を有するとともに、温度に対する電池特性の依存度が高出力型組電池よりも高い。高容量型組電池は、高出力型組電池に対して車両の上方に重ねて配置されている。【選択図】  図１０
2013030883.tif 000002
【特許請求の範囲】
【請求項１】
車両を走行させる駆動源であるモータと、
前記モータに電力を供給可能であり、ラゲッジスペースに配置された高出力型組電池および高容量型組電池と、を備え、
前記高出力型組電池は、前記高容量型組電池より相対的に大きな電流で充放電が可能であり、
前記高容量型組電池は、前記高出力型組電池より相対的に大きなエネルギ容量を有し、温度に対する電池特性の依存度が前記高出力型組電池よりも高く、前記高出力型組電池に対して車両の上方に重ねて配置されていることを特徴とする車両。
【請求項２】
車両を走行させる駆動源であるエンジンを有しており、
前記エンジンを停止した状態で前記モータの出力を用いて走行する場合、前記高容量型組電池は、前記高出力型組電池よりも前記モータに電力を供給することを特徴とする請求項１に記載の車両。
【請求項３】
前記エンジンを停止した状態で前記モータの出力を用いて走行する場合、前記高容量型組電池の使用頻度は、前記高出力型組電池の使用頻度よりも高いことを特徴とする請求項２に記載の車両。
【請求項４】
前記エンジンを停止した状態で前記モータの出力を用いて走行する場合、前記モータに供給される電力のうち、前記高容量型組電池から前記モータに供給される電力の割合は、前記高出力型組電池から前記モータに供給される電力の割合よりも高いことを特徴とする請求項２に記載の車両。
【請求項５】
前記高容量型組電池は、外部電源からの電力供給を受けて充電を行うことを特徴とする請求項１から４のいずれか１つに記載の車両。
【請求項６】
前記高容量型組電池のサイズは、前記高出力型組電池のサイズよりも大きいことを特徴とする請求項１から５のいずれか１つに記載の車両。
【請求項７】
前記高容量型組電池は、前記高出力型組電池よりも交換頻度が高いことを特徴とする請求項１から６のいずれか１つに記載の車両。
【請求項８】
前記高出力型組電池は、直列に接続された複数の単電池を有し、
前記高容量型組電池は、並列に接続された複数の単電池を有することを特徴とする請求項１から７のいずれか１つに記載の車両。
【請求項９】
前記高出力型組電池を含む電池パックは、所定方向に並んで配置された複数の角型単電池と、前記複数の角型単電池を収容するケースとを有しており、
前記高容量型組電池を含む電池パックは、所定平面と直交する方向に延び、前記所定平面内で並んで配置された複数の円筒型単電池と、前記複数の円筒型単電池が挿入される貫通孔を備え、前記各円筒型単電池を支持するホルダと、前記複数の円筒型単電池を収容し、前記ホルダの端面と接触するケースとを有することを特徴とする請求項８に記載の車両。
【請求項１０】
前記高出力型組電池の温度調節に用いられる熱交換媒体は、前記所定方向で隣り合う２つの前記単電池の間に形成されたスペースに進入して、前記高出力型組電池との間で熱交換を行い、
前記高容量型組電池の温度調節に用いられる熱交換媒体は、前記所定平面に沿って移動して、前記高容量型組電池との間で熱交換を行うことを特徴とする請求項９に記載の車両
。
【発明の詳細な説明】
【技術分野】
【０００１】
本発明は、特性が異なる複数の組電池を備えた車両に関するものである。
【背景技術】
【０００２】
特許文献１に記載の電池システムでは、高容量型電池および高出力型電池が負荷に対して並列に接続されている。高容量型電池は、高出力型電池よりも大きなエネルギ容量を有している。高出力型電池は、高容量型電池よりも大きな電流で充放電を行うことができる。
【先行技術文献】
【特許文献】
【０００３】
【特許文献１】特開２００６−０７９９８７号公報
【発明の概要】
【発明が解決しようとする課題】
【０００４】
特許文献１では、高容量型電池および高出力型電池を備えた車両を開示しているが、高容量型電池および高出力型電池をどのように配置するかについては、何ら開示されていない。高容量型電池および高出力型電池は、互いに異なる特性を有していたり、互いに異なる使われ方をされたりすることがある。したがって、高容量型電池および高出力型電池の特性などを考慮して、高容量型電池および高出力型電池を車両に搭載しないと、車両の商品性が低下するおそれがある。
【課題を解決するための手段】
【０００５】
本発明である車両は、車両を走行させる駆動源であるモータと、モータに電力を供給可能な組電池とを有する。組電池は、車両のラゲッジスペースに配置されており、高出力型組電池および高容量型組電池を含む。高出力型組電池は、高容量型組電池より相対的に大きな電流で充放電を行うことができる。高容量型組電池は、高出力型組電池より相対的に大きなエネルギ容量を有するとともに、温度に対する電池特性の依存度が高出力型組電池よりも高い。高容量型組電池は、高出力型組電池に対して車両の上方に重ねて配置されている。【０００６】
高容量型組電池を高出力型組電池よりも上方に配置することにより、高容量型組電池で発生した熱を大気中に放出しやすくなる。高容量型組電池は、高出力型組電池よりも、温度に対する電池特性の依存度が高いため、高容量型組電池を放熱させやすくすることにより、高容量型組電池の電池特性を確保することができる。電池特性としては、電池の入出力電力や、電池の容量などがある。【０００７】
車両を走行させる駆動源であるエンジンを備えた車両において、エンジンを停止させた状態で、モータの出力を用いて車両を走行させるとき、高容量型組電池は、高出力型組電池よりもモータに電力を供給することができる。高容量型組電池を積極的に用いることにより、電気エネルギを用いた車両の走行距離を確保することができ、燃費を向上させることができる。【０００８】
エンジンを停止させた状態で、モータの出力を用いて車両を走行させるとき、高容量型組電池の使用頻度は、高出力型組電池の使用頻度よりも高くなっている。また、エンジンを停止させた状態で、モータの出力を用いて車両を走行させるとき、モータに供給される電力のうち、高容量型組電池からモータに供給される電力の割合は、高出力型組電池からモータに供給される電力の割合よりも高くなっている。【０００９】
高容量型組電池は、外部電源を用いて充電することができる。エンジンを停止させた状態で、モータの出力を用いて車両を走行させるとき、例えば、高容量型組電池の充電状態（ＳＯＣ：State of Charge）が０％に近づくまで、高容量型組電池を放電させることができる。高容量型組電池を放電させた後は、外部電源を用いて高容量型組電池を充電することにより、エンジンを停止させた状態で、モータの出力を用いて車両を走行させるとき、高容量型組電池を再び使用することができる。【００１０】
高容量型組電池のサイズは、高出力型組電池のサイズよりも大きくすることにより、高容量型組電池の容量を増やすことができ、電気エネルギを用いた車両の走行距離を増やすことができる。ラゲッジスペースでは、車両の上方ほど、組電池を配置するためのスペースを確保しやすくなる。高容量型組電池は、高出力型組電池よりも上方に配置されているため、高出力型組電池よりもサイズが大きい高容量型組電池をラゲッジスペースに配置しやすくなる。【００１１】
高容量型組電池は、高出力型組電池よりも交換頻度が高い。高容量型組電池は、高出力型組電池よりも温度に対する依存度が高いため、温度変化に応じて、高容量型組電池は、高出力型組電池よりも劣化しやすいことがある。また、高容量型組電池の使用頻度が、高出力型組電池の使用頻度よりも高い状態で、高容量型組電池を使用し続けることにより、高容量型組電池は、高出力型組電池よりも劣化しやすいことがある。高容量型組電池が劣化すれば、高容量型組電池を交換する必要がある。また、高容量型組電池は、上述した車両の走行距離を確保するために用いられ、高容量型組電池の容量は、ユーザの要求によって変更することもできる。この場合にも、高容量型組電池を交換する必要がある。このように、高容量型組電池は、高出力型組電池よりも交換頻度が高くなっている。【００１２】
高容量型組電池は、高出力型組電池よりも上方に配置されているため、作業者は、高容量型組電池にアクセスしやすい。したがって、作業者は、高容量型組電池を容易に交換することができる。【００１３】
高出力型組電池は、直列に接続された複数の単電池で構成することができる。また、高容量型組電池は、並列に接続された複数の単電池で構成することができる。高出力型組電池の単電池としては、角型電池を用い、高容量型組電池の単電池としては、円筒型電池を用いることができる。【００１４】
具体的には、高出力型組電池を含む電池パックは、所定方向に並んで配置された複数の角型単電池と、複数の角型単電池を収容するケースとで構成することができる。高容量型組電池を含む電池パックは、複数の円筒型単電池と、複数の円筒型単電池を支持するホルダと、複数の円筒型単電池およびホルダを収容するケースとで構成することができる。ホルダには、各円筒型単電池が挿入される貫通孔を設けることができる。ホルダの端面は、ケースと接触している。円筒型単電池は、所定平面（ホルダが配置される平面）と直交する方向に延びており、複数の円筒型単電池は、所定平面内で並んで配置されている。【００１５】
高出力型組電池を含む電池パックと、高容量型組電池を含む電池パックとを、上述したように構成することにより、高容量型組電池を含む電池パックの剛性を、高出力型組電池を含む電池パックの剛性よりも高くすることができる。高容量型組電池を含む電池パックでは、ケースに外力が加わっても、ケースと接触するホルダによって外力を受けることができる。高容量型組電池は、高出力型組電池よりも上方に配置されているため、外力を受けやすい位置にある。高容量型組電池を含む電池パックの剛性を、高出力型組電池を含む電池パックの剛性よりも高くしておくことにより、外力に耐えることもできる。【００１６】
高出力型組電池の温度調節に用いられる熱交換媒体は、所定方向で隣り合う２つの単電池の間に形成されたスペースに進入させて、高出力型組電池との間で熱交換を行わせることができる。高容量型組電池の温度調節に用いられる熱交換媒体は、所定平面に沿って移動させて、高容量型組電池との間で熱交換を行わせることができる。【００１７】
このような熱交換媒体の流路では、高出力型組電池での圧力損失は、高容量型組電池での圧力損失よりも高くなりやすい。圧力損失が高くなるほど、雑音が発生しやすい。高容量型組電池は、高出力型組電池よりも上方に配置されているため、高出力型組電池で発生した雑音を高容量型組電池によって阻止することができる。これにより、高出力型組電池で発生した雑音が外部（特に、乗員が乗車するスペース）に向かうのを抑制することができる。
【図面の簡単な説明】
【００１８】
【図１】電池システムの構成を示す図である。
【図２】高出力型組電池で用いられる単電池の外観図である。
【図３】高出力型組電池の外観図である。
【図４】高容量型組電池で用いられる単電池の外観図である。
【図５】高容量型組電池で用いられる電池ブロックの外観図である。
【図６】高出力型組電池の単電池で用いられる発電要素の構成を示す図である。
【図７】高容量型組電池の単電池で用いられる発電要素の構成を示す図である。
【図８】単電池の出力および温度の関係を示す図である。
【図９】単電池の容量維持率および温度の関係を示す図である。
【図１０】高出力型組電池および高容量型組電池が搭載された車両の概略図である。
【図１１】２つの電池パックの配置を説明する図である。
【図１２】２つの電池パックの配置を説明する図である。
【図１３】高容量型組電池の温度調節に用いられる空気の流れを説明する図である。
【図１４】高出力型組電池の温度調節に用いられる空気の流れを説明する図である。
【図１５】高容量型組電池の電池パックの構成を示す概略図である。
【図１６】高出力型組電池の電池パックの構成を示す概略図である。
【発明を実施するための形態】
【００１９】
以下、本発明の実施例について説明する。
【実施例１】
【００２０】
本実施例における電池システムについて、図１を用いて説明する。図１は、電池システムの構成を示す概略図である。本実施例の電池システムは、車両に搭載されている。図１において、実線で示す接続は、電気的な接続を表し、点線で示す接続は、機械的な接続を表す。【００２１】
電池システムは、並列に接続された高出力型組電池１０および高容量型組電池２０を有する。高出力型組電池１０は、システムメインリレーＳＭＲ−Ｂ１，ＳＭＲ−Ｇ１を介してインバータ３１に接続されている。また、高容量型組電池２０は、システムメインリレーＳＭＲ−Ｂ２，ＳＭＲ−Ｇ２を介してインバータ３１に接続されている。インバータ３１は、組電池１０，２０から供給された直流電力を交流電力に変換する。【００２２】
インバータ３１には、モータ・ジェネレータ３２（交流モータ）が接続されており、モータ・ジェネレータ３２は、インバータ３１から供給された交流電力を受けて、車両を走行させるための運動エネルギを発生する。モータ・ジェネレータ３２は、車輪３３と接続されている。また、車輪３３には、エンジン３４が接続されており、エンジン３４で生成された運動エネルギが車輪３３に伝達される。【００２３】
車両を減速させたり、停止させたりするとき、モータ・ジェネレータ３２は、車両の制動時に発生する運動エネルギを電気エネルギ（交流電力）に変換する。インバータ３１は、モータ・ジェネレータ３２が生成した交流電力を直流電力に変換して、組電池１０，２０に供給する。これにより、組電池１０，２０は、回生電力を蓄えることができる。【００２４】
コントローラ３５は、インバータ３１およびモータ・ジェネレータ３２のそれぞれに制御信号を出力して、これらの駆動を制御する。また、コントローラ３５は、システムメインリレーＳＭＲ−Ｂ１，Ｂ２，ＳＭＲ−Ｇ１，Ｇ２に制御信号を出力することにより、オンおよびオフの間での切り替えを行う。【００２５】
システムメインリレーＳＭＲ−Ｂ１，ＳＭＲ−Ｇ１がオンであるとき、高出力型組電池１０の充放電が許容され、システムメインリレーＳＭＲ−Ｂ１，ＳＭＲ−Ｇ１がオフであるとき、高出力型組電池１０の充放電が禁止される。システムメインリレーＳＭＲ−Ｂ２，ＳＭＲ−Ｇ２がオンであるとき、高容量型組電池２０の充放電が許容され、システムメインリレーＳＭＲ−Ｂ２，ＳＭＲ−Ｇ２がオフであるとき、高容量型組電池２０の充放電が禁止される。【００２６】
本実施例では、組電池１０，２０をインバータ３１に接続しているが、これに限るものではない。具体的には、組電池１０，２０およびインバータ３１の間の電流経路に、昇圧回路を配置することができる。これにより、昇圧回路は、組電池１０，２０の出力電圧を昇圧することができる。【００２７】
本実施例の車両では、車両を走行させるための動力源として、組電池１０，２０だけでなく、エンジン３４も備えている。エンジン３４としては、ガソリン、ディーゼル燃料又はバイオ燃料を用いるものがある。【００２８】
本実施例の車両では、高出力型組電池１０の出力や高容量型組電池２０の出力だけを用いて、車両を走行させることができる。この走行モードを、ＥＶ（Electric Vehicle）走行モードという。例えば、充電状態（ＳＯＣ：State of Charge）が１００％付近から０％付近に到達するまで、高容量型組電池２０を放電させて、車両を走行させることができる。高容量型組電池２０のＳＯＣが０％付近に到達した後は、外部電源を用いて、高容量型組電池２０を充電することができる。外部電源とは、車両の外部に配置され、車両とは別体として設けられた電源である。外部電源としては、例えば、商用電源を用いることができる。商用電源を用いるときには、交流電力を直流電力に変換する充電器が必要となる。【００２９】
ＥＶ走行モードにおいて、運転者がアクセルペダルを操作して、車両の要求出力が上昇したときには、高容量型組電池２０の出力だけでなく、高出力型組電池１０の出力も用いて、車両を走行させることができる。高容量型組電池２０および高出力型組電池１０を併用することにより、アクセルペダルの操作に応じた電池出力を確保することができ、ドライバビリティを向上させることができる。【００３０】
また、高容量型組電池２０のＳＯＣが０％付近に到達した後では、高出力型組電池１０およびエンジン３４を併用して、車両を走行させることができる。この走行モードを、ＨＶ（Hybrid Vehicle）走行モードという。ＨＶ走行モードでは、例えば、高出力型組電池１０のＳＯＣが、予め定めた基準ＳＯＣに沿って変化するように、高出力型組電池１０の充放電を制御することができる。【００３１】
高出力型組電池１０のＳＯＣが基準ＳＯＣよりも高いときには、高出力型組電池１０を放電して、高出力型組電池１０のＳＯＣを基準ＳＯＣに近づけることができる。また、高出力型組電池１０のＳＯＣが基準ＳＯＣよりも低いときには、高出力型組電池１０を充電して、高出力型組電池１０のＳＯＣを基準ＳＯＣに近づけることができる。ＨＶ走行モードでは、高出力型組電池１０だけではなく、高容量型組電池２０も用いることができる。すなわち、高容量型組電池２０の容量を残しておき、ＨＶ走行モードにおいて、高容量型組電池２０を放電させることもできる。また、回生電力を高容量型組電池２０に蓄えることもできる。【００３２】
上述したように、高容量型組電池２０は、主にＥＶ走行モードで用いることができ、高出力型組電池１０は、主にＨＶ走行モードで用いることができる。高容量型組電池２０を主にＥＶ走行モードで用いることとは、以下の２つの場合を意味する。第１として、ＥＶ走行モードにおいて、高容量型組電池２０の使用頻度が、高出力型組電池１０の使用頻度よりも高いことを意味する。第２として、ＥＶ走行モードにおいて、高容量型組電池２０および高出力型組電池１０を併用するときには、車両の走行に用いられた総電力のうち、高容量型組電池２０の出力電力が占める割合が、高出力型組電池１０の出力電力が占める割合よりも高いことを意味する。ここでの総電力とは、瞬間的な電力ではなく、所定の走行時間又は走行距離における電力である。【００３３】
高出力型組電池１０は、図１に示すように、直列に接続された複数の単電池１１を有している。単電池１１としては、ニッケル水素電池やリチウムイオン電池といった二次電池を用いることができる。高出力型組電池１０を構成する単電池１１の数は、高出力型組電池１０の要求出力などを考慮して適宜設定することができる。単電池１１は、図２に示すように、いわゆる角型の単電池である。角型の単電池とは、電池の外形が直方体に沿って形成された単電池である。【００３４】
図２において、単電池１１は、直方体に沿って形成された電池ケース１１ａを有しており、電池ケース１１ａは、充放電を行う発電要素を収容している。発電要素は、正極素子と、負極素子と、正極素子および負極素子の間に配置されるセパレータとを有する。セパレータには、電解液が含まれている。正極素子は、集電板と、集電板の表面に形成された正極活物質層とを有する。負極素子は、集電板と、集電板の表面に形成された負極活物質層とを有する。【００３５】
電池ケース１１ａの上面には、正極端子１１ｂおよび負極端子１１ｃが配置されている。正極端子１１ｂは、発電要素の正極素子と電気的に接続されており、負極端子１１ｃは、発電要素の負極素子と電気的に接続されている。【００３６】
図３に示すように、高出力型組電池１０では、複数の単電池１１が一方向に並んで配置されている。隣り合って配置された２つの単電池１１の間には、仕切り板１２が配置されている。仕切り板１２は、樹脂といった絶縁材料で形成することができ、２つの単電池１１を絶縁状態とすることができる。【００３７】
仕切り板１２を用いることにより、単電池１１の外面にスペースを形成することができる。具体的には、仕切り板１２に対して、単電池１１に向かって突出する突起部を設けることができる。突起部の先端を単電池１１に接触させることにより、仕切り板１２および単電池１１の間にスペースを形成することができる。このスペースにおいて、単電池１１の温度調節に用いられる空気（熱交換媒体に相当する）を移動させることができる。【００３８】
単電池１１が充放電などによって発熱しているときには、仕切り板１２および単電池１１の間に形成されたスペースに、冷却用の空気を導くことができる。冷却用の空気は、単電池１１との間で熱交換を行うことにより、単電池１１の温度上昇を抑制することができる。また、単電池１１が過度に冷えているときには、仕切り板１２および単電池１１の間に形成されたスペースに、加温用の空気を導くことができる。加温用の空気は、単電池１１との間で熱交換を行うことにより、単電池１１の温度低下を抑制することができる。単電池１１の温度調節は、空気とは異なる成分の気体を用いることもできる。【００３９】
複数の単電池１１は、２つのバスバーモジュール１３によって電気的に直列に接続されている。バスバーモジュール１３は、複数のバスバーと、複数のバスバーを保持するホルダとを有する。バスバーは、導電性材料で形成されており、隣り合って配置された２つの単電池１１のうち、一方の単電池１１の正極端子１１ｂと、他方の単電池１１の負極端子１１ｃとに接続される。ホルダは、樹脂といった絶縁材料で形成されている。【００４０】
複数の単電池１１の配列方向における高出力型組電池１０の両端には、一対のエンドプレート１４が配置されている。一対のエンドプレート１４には、複数の単電池１１の配列方向に延びる拘束バンド１５が接続されている。これにより、複数の単電池１１に対して拘束力を与えることができる。拘束力とは、複数の単電池１１の配列方向において、各単電池１１を挟む力である。単電池１１に拘束力を与えることにより、単電池１１の膨張などを抑制することができる。【００４１】
本実施例では、高出力型組電池１０の上面に、２つの拘束バンド１５が配置され、高出力型組電池１０の下面に、２つの拘束バンド１５が配置されている。なお、拘束バンド１５の数は、適宜設定することができる。すなわち、拘束バンド１５およびエンドプレート１４を用いて、単電池１１に拘束力を与えることができればよい。一方、単電池１１に拘束力を与えなくてもよく、エンドプレート１４や拘束バンド１５を省略することもできる。【００４２】
本実施例では、複数の単電池１１を一方向に並べているが、これに限るものではない。例えば、複数の単電池を用いて、１つの電池モジュールを構成しておき、複数の電池モジュールを一方向に並べることもできる。【００４３】
一方、高容量型組電池２０は、図１に示すように、直列に接続された複数の電池ブロック２１を有している。各電池ブロック２１は、並列に接続された複数の単電池２２を有する。電池ブロック２１の数や、各電池ブロック２１に含まれる単電池２２の数は、高容量型組電池２０の要求出力や容量などを考慮して適宜設定することができる。本実施例の電池ブロック２１では、複数の単電池２２を並列に接続しているが、これに限るものではない。具体的には、複数の単電池２２を直列に接続した電池モジュールを複数用意しておき、複数の電池モジュールを並列に接続することによって、電池ブロック２１を構成することもできる。【００４４】
単電池２２としては、ニッケル水素電池やリチウムイオン電池といった二次電池を用いることができる。単電池２２は、図４に示すように、いわゆる円筒型の単電池である。円筒型の単電池とは、電池の外形が円柱に沿って形成された単電池である。【００４５】
円筒型の単電池２２では、図４に示すように、円筒形状の電池ケース２２ａを有する。電池ケース２２ａの内部には、発電要素が収容されている。単電池２２における発電要素の構成部材は、単電池１１における発電要素の構成部材と同様である。【００４６】
単電池２２の長手方向における両端には、正極端子２２ｂおよび負極端子２２ｃがそれぞれ設けられている。正極端子２２ｂおよび負極端子２２ｃは、電池ケース２２ａを構成する。正極端子２２ｂは、発電要素の正極素子と電気的に接続されており、負極端子２２ｃは、発電要素の負極素子と電気的に接続されている。本実施例の単電池２２は、直径が１８［ｍｍ］であり、長さが６５．０［ｍｍ］であり、いわゆる１８６５０型と呼ばれる電池である。なお、１８６５０型の単電池２２とは異なるサイズの単電池２２を用いることもできる。【００４７】
ここで、角型の単電池１１のサイズは、円筒型の単電池２２のサイズよりも大きい。単電池１１，２２のサイズとは、最も寸法が大きい部分のサイズをいう。具体的には、図２に示す単電池１１の構成では、長さＷ１を単電池１１のサイズとすることができる。図４に示す単電池２２の構成では、長さＷ２を単電池２２のサイズとすることができる。長さＷ１は、長さＷ２よりも大きい。【００４８】
電池ブロック２１は、図５に示すように、複数の単電池２２と、複数の単電池２２を保持するホルダ２３とを有する。複数の電池ブロック２１を並べることによって、高容量型組電池２０が構成される。ここで、複数の電池ブロック２１は、電気ケーブルなどを介して直列に接続されている。高容量型組電池２０は、ＥＶ走行モードでの走行距離を確保するために用いられており、多くの単電池２２が用いられている。このため、高容量型組電池２０のサイズは、高出力型組電池１０のサイズよりも大きくなりやすい。【００４９】
ホルダ２３は、各単電池２２が挿入される貫通孔２３ａを有する。貫通孔２３ａは、単電池２２の数だけ設けられている。複数の単電池２２は、正極端子２２ｂ（又は負極端子２２ｃ）がホルダ２３に対して同一の側に位置するように配置されている。複数の正極端子２２ｂは、１つのバスバーと接続され、複数の負極端子２２ｃは、１つのバスバーと接続される。これにより、複数の単電池２２は、電気的に並列に接続される。【００５０】
単電池２２は、ホルダ２３が配置される平面に対して直交する方向に延びている。複数の単電池２２は、ホルダ２３が配置される平面内において並んで配置されている。ホルダ２３が配置される平面内において、複数の単電池２２を配置する位置は、適宜設定することができる。【００５１】
本実施例の電池ブロック２１では、１つのホルダ２３を用いているが、複数のホルダ２３を用いることもできる。例えば、一方のホルダ２３を用いて、単電池２２の正極端子２２ｂの側を保持し、他方のホルダ２３を用いて、単電池２２の負極端子２２ｃの側を保持することができる。【００５２】
次に、高出力型組電池１０で用いられる単電池１１の特性と、高容量型組電池２０で用いられる単電池２２の特性について説明する。表１は、単電池１１，２２の特性を比較したものである。表１に示す「高」および「低」は、２つの単電池１１，２２を比較したときの関係を示している。すなわち、「高」は、比較対象の単電池と比べて高いことを意味しており、「低」は、比較対象の単電池と比べて低いことを意味している。【００５３】
【表１】
2013030883.tif 000003
【００５４】
単電池１１の出力密度は、単電池２２の出力密度よりも高い。単電池１１，２２の出力密度は、例えば、単電池の単位質量当たりの電力（単位［Ｗ／ｋｇ］）や、単電池の単位体積当たりの電力（単位［Ｗ／Ｌ］）として表すことができる。単電池１１，２２の質量又は体積を等しくしたとき、単電池１１の出力［Ｗ］は、単電池２２の出力［Ｗ］よりも高くなる。【００５５】
また、単電池１１，２２の電極素子（正極素子又は負極素子）における出力密度は、例えば、電極素子の単位面積当たりの電流値（単位［ｍＡ／ｃｍ＾２］）として表すことができる。電極素子の出力密度に関して、単電池１１は、単電池２２よりも高い。ここで、電極素子の面積が等しいとき、単電池１１の電極素子に流すことが可能な電流値は、単電池２２の電極素子に流すことが可能な電流値よりも大きくなる。【００５６】
一方、単電池２２の電力容量密度は、単電池１１の電力容量密度よりも高い。単電池１１，２２の電力容量密度は、例えば、単電池の単位質量当たりの容量（単位［Ｗｈ／ｋｇ］）や、単電池の単位体積当たりの容量（単位［Ｗｈ／Ｌ］）として表すことができる。単電池１１，２２の質量又は体積を等しくしたとき、単電池２２の電力容量［Ｗｈ］は、単電池１１の電力容量［Ｗｈ］よりも大きくなる。【００５７】
また、単電池１１，２２の電極素子における容量密度は、例えば、電極素子の単位質量当たりの容量（単位［ｍＡｈ／ｇ］）や、電極素子の単位体積当たりの容量（単位［ｍＡｈ／ｃｃ］）として表すことができる。電極素子の容量密度に関して、単電池２２は、単電池１１よりも高い。ここで、電極素子の質量又は体積が等しいとき、単電池２２の電極素子の容量は、単電池１１の電極素子の容量よりも大きくなる。【００５８】
図６は、単電池１１における発電要素の構成を示す概略図であり、図７は、単電池２２における発電要素の構成を示す概略図である。【００５９】
図６において、単電池１１の発電要素を構成する正極素子は、集電板１１１と、集電板１１１の両面に形成された活物質層１１２とを有する。単電池１１がリチウムイオン二次電池であるとき、集電板１１１の材料としては、例えば、アルミニウムを用いることができる。活物質層１１２は、正極活物質、導電材およびバインダーなどを含んでいる。【００６０】
単電池１１の発電要素を構成する負極素子は、集電板１１３と、集電板１１３の両面に形成された活物質層１１４とを有する。単電池１１がリチウムイオン二次電池であるとき、集電板１１３の材料としては、例えば、銅を用いることができる。活物質層１１４は、負極活物質、導電材およびバインダーなどを含んでいる。【００６１】
正極素子および負極素子の間には、セパレータ１１５が配置されており、セパレータ１１５は、正極素子の活物質層１１２と、負極素子の活物質層１１４とに接触している。正極素子、セパレータ１１５および負極素子を、この順に積層して積層体を構成し、積層体を巻くことによって、発電要素を構成することができる。【００６２】
本実施例では、集電板１１１の両面に活物質層１１２を形成したり、集電板１１３の両面に活物質層１１４を形成したりしているが、これに限るものではない。具体的には、いわゆるバイポーラ電極を用いることができる。バイポーラ電極では、集電板の一方の面に正極活物質層１１２が形成され、集電板の他方の面に負極活物質層１１４が形成されている。複数のバイポーラ電極を、セパレータを介して積層することにより、発電要素を構成することができる。【００６３】
図７において、単電池２２の発電要素を構成する正極素子は、集電板２２１と、集電板２２１の両面に形成された活物質層２２２とを有する。単電池２２がリチウムイオン二次電池であるとき、集電板２２１の材料としては、例えば、アルミニウムを用いることができる。活物質層２２２は、正極活物質、導電材およびバインダーなどを含んでいる。【００６４】
単電池２２の発電要素を構成する負極素子は、集電板２２３と、集電板２２３の両面に形成された活物質層２２４とを有する。単電池２２がリチウムイオン二次電池であるとき、集電板２２３の材料としては、例えば、銅を用いることができる。活物質層２２４は、負極活物質、導電材およびバインダーなどを含んでいる。正極素子および負極素子の間には、セパレータ２２５が配置されており、セパレータ２２５は、正極素子の活物質層２２２と、負極素子の活物質層２２４とに接触している。【００６５】
図６および図７に示すように、単電池１１および単電池２２における正極素子を比較したとき、活物質層１１２の厚さＤ１１は、活物質層２２２の厚さＤ２１よりも薄い。また、単電池１１および単電池２２における負極素子を比較したとき、活物質層１１４の厚さＤ１２は、活物質層２２４の厚さＤ２２よりも薄い。活物質層１１２，１１４の厚さＤ１１，Ｄ１２が活物質層２２２，２２４の厚さＤ２１，Ｄ２２よりも薄いことにより、単電池１１では、正極素子および負極素子の間で電流が流れやすくなる。したがって、単電池１１の出力密度は、単電池２２の出力密度よりも高くなる。【００６６】
ここで、活物質層における単位容量当たりの体積（単位［ｃｃ／ｍＡｈ］）に関して、活物質層１１２は、活物質層２２２よりも大きく、活物質層１１４は、活物質層２２４よりも大きい。活物質層２２２，２２４の厚さＤ２１，Ｄ２２は、活物質層１１２，１１４の厚さＤ１１，Ｄ１２よりも厚いため、単電池２２の容量密度は、単電池１１の容量密度よりも高くなる。【００６７】
次に、電池の温度依存性について説明する。表１に示すように、入出力の温度依存性に関して、単電池２２は、単電池１１よりも高い。すなわち、単電池２２の入出力は、単電池１１の入出力と比べて、温度変化に対して変化しやすい。図８は、温度に対する単電池１１，２２の出力特性を示している。図８において、横軸は温度を示し、縦軸は出力を示している。図８は、単電池１１，２２の出力特性を示しているが、単電池１１，２２の入力特性についても、図８と同様の関係がある。【００６８】
図８に示すように、単電池（高出力型）１１および単電池（高容量型）２２は、温度が低下するにつれて、出力性能が低下する。ここで、単電池１１における出力性能の低下率は、単電池２２における出力性能の低下率よりも低い。すなわち、単電池２２の出力性能は、単電池１１の出力性能に比べて、温度による影響を受けやすく、温度に対する依存度が高い。【００６９】
図９は、単電池１１，２２の容量維持率と、温度との関係を示す図である。図９において、横軸は温度を示し、縦軸は容量維持率を示している。容量維持率とは、初期状態にある単電池１１，２２の容量と、使用状態（劣化状態）にある単電池１１，２２の容量との比（劣化容量／初期容量）で表される。初期状態とは、単電池１１，２２を製造した直後の状態であり、単電池１１，２２を使用し始める前の状態をいう。図９に示すグラフは、各温度において、単電池の充放電を繰り返した後の単電池１１，２２の容量維持率を示す。【００７０】
図９に示すように、温度が高いほど、単電池１１，２２の容量維持率が低下する傾向がある。容量維持率の低下は、単電池１１，２２の劣化を表している。温度上昇に対する単電池の容量維持率の低下率に関して、単電池２２は、単電池１１よりも高い。言い換えれば、単電池２２は、単電池１１と比べて、温度上昇（温度変化）に対して劣化し易くなっている。このように、高容量型組電池２０は、高出力型組電池１０よりも温度に対する依存度が高くなっている。【００７１】
次に、高出力型組電池１０および高容量型組電池２０を車両に搭載するときの配置について、図１０を用いて説明する。図１０において、矢印ＦＲの方向は、車両１００の前進方向を示しており、矢印ＵＰの方向は、車両１００の上方を示している。【００７２】
高出力型組電池１０および高容量型組電池２０は、ラゲッジスペースＬＳに配置されており、高容量型組電池２０は、高出力型組電池１０よりも上方に位置している。ラゲッジスペースＬＳは、荷物を配置するためのスペースであり、ラゲッジスペースＬＳの一部を、組電池１０，２０を配置するためのスペースとして用いている。【００７３】
ラゲッジスペースＬＳよりも車両１００の前方には、乗車スペースＲＳが設けられている。乗車スペースＲＳは、乗員が乗車するスペースであり、シートの配置に応じて規定される。車両１００には、乗車スペースＲＳおよびラゲッジスペースＬＳが仕切り部材によって仕切られている車両や、乗車スペースＲＳおよびラゲッジスペースＬＳがつながっている車両がある。【００７４】
高出力型組電池１０および高容量型組電池２０を車両１００に搭載するときには、図１１に示すように、電池パック１０Ａ，２０Ａとして、車両１００に搭載される。電池パック１０Ａは、高出力型組電池１０と、高出力型組電池１０を収容するパックケース１６とを有する。電池パック２０Ａは、高容量型組電池２０と、高容量型組電池２０を収容するパックケース２４とを有する。パックケース２４は、パックケース１６の上面に固定されている。【００７５】
電池パック１０Ａ，２０Ａは、車体に固定されている。例えば、電池パック１０Ａは、車両１００のフロアパネルに形成された凹部に収容することができる。凹部は、スペアタイヤを収容するためのスペースとして用いることができるものである。電池パック２０Ａは、電池パック１０Ａの上方に配置された状態において、フロアパネルやクロスメンバなどの車体に固定することができる。【００７６】
本実施例では、パックケース２４の底面が、パックケース１６の上面に接触しているが、これに限るものではない。具体的には、電池パック１０Ａ，２０Ａを、図１２に示すように配置することができる。図１２において、電池パック１０Ａ，２０Ａは、車体に固定されており、電池パック２０Ａは、電池パック１０Ａの上方に位置している。電池パック１０Ａ，２０Ａの間には、仕切り板１０１が配置されており、電池パック１０Ａ，２０Ａは離れている。図１２に示す構成では、電池パック１０Ａ，２０Ａの間に、仕切り板１０１を配置しているが、仕切り板１０１を省略することもできる。すなわち、電池パック１０Ａ，２０Ａは、車両１００の上下方向において離して配置することができる。【００７７】
図８および図９を用いて説明したように、高容量型組電池２０は、高出力型組電池１０よりも温度による影響を受けやすい。本実施例において、高容量型組電池２０は、高出力型組電池１０よりも上方に配置されており、高容量型組電池２０で発生した熱を外部に逃がしやすくなっている。言い換えれば、高容量型組電池２０は、高出力型組電池１０よりも熱による影響を受けにくい位置に配置されている。【００７８】
高容量型組電池２０を放熱させやすくすることにより、高容量型組電池２０の劣化を抑制することができる。図９で説明したように、高容量型組電池２０が高温状態となるのを抑制すれば、高容量型組電池２０の容量が低下するのを抑制することができる。一方、高出力型組電池１０は、高容量型組電池２０よりも温度の影響を受けにくいため、高容量型組電池２０の下方に位置するスペース（熱のこもりやすいスペース）に高出力型組電池１０を配置することができる。高容量型組電池２０の下方に位置するスペースは、高容量型組電池２０によって覆われているため、熱がこもりやすい。【００７９】
車両１００を走行させるときに、ＨＶ走行モードよりもＥＶ走行モードを優先させると、高容量型組電池２０は、高出力型組電池１０よりも使用頻度が高くなる。ＨＶ走行モードよりもＥＶ走行モードを優先させる場合としては、例えば、車両１００の始動直後から、ＥＶ走行モードでの走行を行うことができる。そして、ＥＶ走行モードでの走行を行うことができなくなったときには、ＥＶ走行モードからＨＶ走行モードに切り替えることができる。高容量型組電池２０の使用頻度が高くなれば、充放電によって、高容量型組電池２０が発熱しやすい。上述したように、高容量型組電池２０は、高出力型組電池１０よりも放熱しやすい環境にあるため、高容量型組電池２０の温度上昇を抑制することができる。【００８０】
外部電源からの電力供給によって、高容量型組電池２０を充電することができるが、充電中において、高容量型組電池２０は、高出力型組電池１０よりも発熱する。高容量型組電池２０は、高出力型組電池１０よりも放熱しやすい環境にあるため、高容量型組電池２０の温度上昇を抑制することができる。【００８１】
ＥＶ走行モードでの走行距離を確保するうえでは、高容量型組電池２０は、高出力型組電池１０よりも大型化しやすい。単電池２２の数を増やせば、高容量型組電池２０の容量を増やして、ＥＶ走行モードでの走行距離を延ばすことができる。単電池２２の数が増えれば、高容量型組電池２０は大型化しやすい。ラゲッジスペースＬＳでは、車両１００の下方に位置するスペースよりも、車両１００の上方に位置するスペースが広くなりやすい。そこで、本実施例のように、高出力型組電池１０の上方に高容量型組電池２０を配置することにより、高容量型組電池２０を配置するためのスペースを確保し易くなる。【００８２】
例えば、スペアタイヤを収容するためにも用いられるスペースに高出力型組電池１０を配置し、高出力型組電池１０の上方に高容量型組電池２０を配置することができる。この場合には、高容量型組電池２０を配置するスペースは、高出力型組電池１０を配置するスペースよりも広くなる。高容量型組電池２０の容量（言い換えれば、サイズ）は、ユーザのニーズに応じて変更することができる。高容量型組電池２０を高出力型組電池１０の上方に配置することにより、容量の変更に伴う高容量型組電池２０のサイズ変更に対応することができる。【００８３】
組電池１０，２０をラゲッジスペースＬＳに配置することだけを考慮すると、高容量型組電池２０を高出力型組電池１０よりも下方に配置することも考えられる。この場合には、高容量型組電池２０を平面に沿って配置し難くなり、高容量型組電池２０の外形が複雑な形状になってしまうことがある。本実施例では、高容量型組電池２０を高出力型組電池１０よりも上方に配置することにより、高容量型組電池２０を平面に沿って配置しやすくなり、高容量型組電池２０の外形が複雑になってしまうこともない。【００８４】
高容量型組電池２０は、高出力型組電池１０よりも上方に配置されているため、作業者は、高出力型組電池１０よりも高容量型組電池２０にアクセスしやすい。高容量型組電池２０を高出力型組電池１０よりも下方に配置してしまうと、高容量型組電池２０にアクセスするために、高出力型組電池１０を取り外したりしなければならない。【００８５】
高容量型組電池２０は、高出力型組電池１０よりも温度の影響を受けやすく、劣化し易いことがある。特に、ＨＶ走行モードよりもＥＶ走行モードを優先するとき、高容量型組電池２０は、高出力型組電池１０よりも使用頻度が高く、劣化しやすいことがある。高容量型組電池２０が劣化したときには、高容量型組電池２０の少なくとも一部を交換する必要がある。また、ユーザのニーズに応じて、高容量型組電池２０の容量を変更するときにも、高容量型組電池２０を交換する必要がある。このように、高容量型組電池２０は、高出力型組電池１０よりも交換頻度が高くなっている。そこで、本実施例のように、作業者がアクセスしやすい位置に高容量型組電池２０を配置することにより、高容量型組電池２０の交換を容易に行うことができる。【００８６】
高容量型組電池２０の温度を調節するとき、温度調節用の空気は、図１３に示すように、円筒型の単電池２２の外周に沿って移動させることができる。温度調節用の空気は、単電池２２の長手方向と直交する平面に沿って移動することができる。高出力型組電池１０の温度を調節するとき、温度調節用の空気は、図１４に示すように、隣り合って配置された２つの単電池１１の間を通過する。ここで、温度調節用の空気は、複数の単電池１１の配列方向に進んでから、隣り合って配置された２つの単電池１１の間に進入する。【００８７】
高容量型組電池２０の温度調節に用いられる空気は、高出力型組電池１０の温度調節に用いられる空気よりも移動しやすい。すなわち、円筒型の単電池２２における外面は、図４に示すように、曲面で構成されているため、単電池２２の外周面に沿って空気が移動しやすい。一方、高出力型組電池１０の温度を調節するとき、温度調節用の空気は、複数の単電池１１の配列方向に進んでから、隣り合って配置された２つの単電池１１の間に進入しなければならない。すなわち、温度調節用の空気は、移動方向を極端に変更しなければならない。【００８８】
図１４に示す流路では、図１３に示す流路よりも圧力損失が高くなりやすい。図１３に示す流路では、単電池２２の外周面に沿って空気がスムーズに移動しやすいため、圧力損失は低くなりやすい。一方、図１４に示す流路では、隣り合って配置された２つの単電池１１の間に空気が進入しなければならず、２つの単電池１１の間に空気が進入する部分において、圧力損失が高くなりやすい。圧力損失が高くなるほど、雑音が発生しやすくなる。【００８９】
図１１又は図１２に示す構成において、パックケース１６，２４のそれぞれに吸気口を設けると、高出力型組電池１０で発生した雑音は、吸気口を介して乗車スペースＲＳに向かうことがある。本実施例では、高容量型組電池２０が高出力型組電池１０の上面を覆っているため、高容量型組電池２０は、高出力型組電池１０から乗車スペースＲＳに向かう雑音を阻止することができる。これにより、乗車スペースＲＳに存在する乗員に、高出力型組電池１０で発生した雑音が到達するのを抑制することができる。【００９０】
一方、電池パック２０Ａは、電池パック１０Ａよりも剛性が高くなりやすい。具体的には、図１５に示すように、電池パック２０Ａでは、高容量型組電池２０の単電池２２がホルダ２３によって保持されており、ホルダ２３の端面には、パックケース２４が接触している。このため、パックケース２４に外力Ｆが加わったとしても、ホルダ２３によって外力を受けることができる。一方、図１６に示すように、電池パック１０Ａでは、高出力型組電池１０（単電池１１）の上部に電極１１ｂ，１１ｃが設けられており、パックケース１６は、電極１１ｂ，１１ｃから離れている。したがって、パックケース１６に外力Ｆが加わると、パックケース１６が撓みやすい。【００９１】
電池パック２０Ａの上方は、荷物などが収容されるスペースとなっているため、電池パック２０Ａは、荷物などを収容するときに外力を受けやすくなっている。上述したように、電池パック２０Ａは、電池パック１０Ａよりも剛性が高いため、外力を受け止めやすい。
【図１】
2013030883.tif 000004
【図２】
2013030883.tif 000005
【図３】
2013030883.tif 000006
【図４】
2013030883.tif 000007
【図５】
2013030883.tif 000008
【図６】
2013030883.tif 000009
【図７】
2013030883.tif 000010
【図８】
2013030883.tif 000011
【図９】
2013030883.tif 000012
【図１０】
2013030883.tif 000013
【図１１】
2013030883.tif 000014
【図１２】
2013030883.tif 000015
【図１３】
2013030883.tif 000016
【図１４】
2013030883.tif 000017
【図１５】
2013030883.tif 000018
【図１６】
2013030883.tif 000019
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
車両を走行させる駆動源であるモータと、
前記モータに電力を供給可能であり、ラゲッジスペースに配置され、二次電池でそれぞれ構成された高出力型組電池および高容量型組電池と、を備え、
前記高出力型組電池は、前記高容量型組電池より相対的に大きな電流で充放電が可能であり、
前記高容量型組電池は、前記高出力型組電池より相対的に大きなエネルギ容量を有し、温度に対する電池特性の依存度が前記高出力型組電池よりも高く、前記高出力型組電池に対して車両の上方に重ねて配置されていることを特徴とする車両。
【請求項２】
車両を走行させる駆動源であるエンジンを有しており、
前記エンジンを停止した状態で前記モータの出力を用いて走行する場合、前記高容量型組電池は、前記高出力型組電池よりも前記モータに電力を供給することを特徴とする請求項１に記載の車両。
【請求項３】
前記エンジンを停止した状態で前記モータの出力を用いて走行する場合、前記高容量型組電池の使用頻度は、前記高出力型組電池の使用頻度よりも高いことを特徴とする請求項２に記載の車両。
【請求項４】
前記エンジンを停止した状態で前記モータの出力を用いて走行する場合、前記モータに供給される電力のうち、前記高容量型組電池から前記モータに供給される電力の割合は、前記高出力型組電池から前記モータに供給される電力の割合よりも高いことを特徴とする請求項２に記載の車両。
【請求項５】
前記高容量型組電池は、外部電源からの電力供給を受けて充電を行うことを特徴とする請求項１から４のいずれか１つに記載の車両。
【請求項６】
前記高容量型組電池のサイズは、前記高出力型組電池のサイズよりも大きいことを特徴とする請求項１から５のいずれか１つに記載の車両。
【請求項７】
前記高容量型組電池は、前記高出力型組電池よりも交換頻度が高いことを特徴とする請求項１から６のいずれか１つに記載の車両。
【請求項８】
前記高出力型組電池は、直列に接続された複数の単電池を有し、
前記高容量型組電池は、並列に接続された複数の単電池を有することを特徴とする請求項１から７のいずれか１つに記載の車両。
【請求項９】
前記高出力型組電池を含む電池パックは、所定方向に並んで配置された複数の角型単電池と、前記複数の角型単電池を収容するケースとを有しており、
前記高容量型組電池を含む電池パックは、所定平面と直交する方向に延び、前記所定平面内で並んで配置された複数の円筒型単電池と、前記複数の円筒型単電池が挿入される貫通孔を備え、前記各円筒型単電池を支持するホルダと、前記複数の円筒型単電池を収容し、前記ホルダの端面と接触するケースとを有することを特徴とする請求項８に記載の車両。
【請求項１０】
前記高出力型組電池の温度調節に用いられる熱交換媒体は、前記所定方向で隣り合う２つの前記単電池の間に形成されたスペースに進入して、前記高出力型組電池との間で熱交換を行い、
前記高容量型組電池の温度調節に用いられる熱交換媒体は、前記所定平面に沿って移動して、前記高容量型組電池との間で熱交換を行うことを特徴とする請求項９に記載の車両。
【手続補正３】
【補正対象書類名】明細書
【補正対象項目名】０００１
【補正方法】変更
【補正の内容】
【０００１】
技術分野
［０００１］
本発明は、特性が異なる複数の組電池を備えた車両に関するものである。
背景技術
［０００２］
特許文献１に記載の電池システムでは、高容量型電池および高出力型電池が負荷に対して並列に接続されている。高容量型電池は、高出力型電池よりも大きなエネルギ容量を有している。高出力型電池は、高容量型電池よりも大きな電流で充放電を行うことができる。
先行技術文献
特許文献
［０００３］
特許文献１：特開２００６−０７９９８７号公報
発明の概要
発明が解決しようとする課題
［０００４］
特許文献１では、高容量型電池および高出力型電池を備えた車両を開示しているが、高容量型電池および高出力型電池をどのように配置するかについては、何ら開示されていない。高容量型電池および高出力型電池は、互いに異なる特性を有していたり、互いに異なる使われ方をされたりすることがある。したがって、高容量型電池および高出力型電池の特性などを考慮して、高容量型電池および高出力型電池を車両に搭載しないと、車両の商品性が低下するおそれがある。
課題を解決するための手段
［０００５］
本発明である車両は、車両を走行させる駆動源であるモータと、モータに電力を供給可能な組電池とを有する。組電池は、車両のラゲッジスペースに配置されており、二次電池でそれぞれ構成された高出力型組電池および高容量型組電池を含む。高出力型組電池は、高容量型組電池より相対的に大きな電流で充放電を行うことができる。高容量型組電池は、高出力型組電池より相対的に大きなエネルギ容量を
【国際調査報告】
2013030883.tif 000020
2013030883.tif 000021
2013030883.tif 000022
2013030883.tif 000023